(57)【要約】【課題】引き継ぎの際に、補充が必要な試薬や消耗品等を容易かつ円滑に確認可能な検体分析装置を提供する。【解決手段】検体分析装置は、試薬と検体とを混和して調製した試料を測定する測定部と、表示部と、制御部と、を備える。前記制御部は、所定の操作が行われると、その時点で測定部が保有している試薬または消耗品の残量に関する残量情報を含む引継補助画面Ｄ７を、前記表示部に表示させる。これにより、引継前のユーザは、表示された引継補助画面Ｄ７を見ることにより、測定に用いる試薬の残量に関する残量情報を容易かつ円滑に把握することができる。また、引継前のユーザは、引継後のユーザの担当時間内の検査をまかなえるだけ試薬が残っているか否かを判断することができる。【選択図】図１０
2014089129.tif 000002
【特許請求の範囲】
【請求項１】
試薬と検体とを混和して調製した試料を測定する測定部と、
表示部と、
制御部と、を備え、
前記制御部は、所定の操作が行われると、その時点で測定部が保有している試薬または消耗品の残量に関する残量情報を含む引継補助画面を、前記表示部に表示させる、検体分析装置。
【請求項２】
請求項１に記載の検体分析装置において、
前記引継補助画面は、前記測定部が過去の所定の時間帯において消費した前記試薬または消耗品の消費実績に関する実績情報をさらに含む、検体分析装置。
【請求項３】
請求項２に記載の検体分析装置において、
前記引継補助画面は、前記実績情報および残量情報が表示される情報表示領域と、残量に関する警告を表示する警告表示領域とを含み、
前記制御部は、前記試薬または消耗品の残量情報と前記消費実績とを比較し、前記試薬または消耗品が前記時間帯に不足する可能性がある場合に、それを示唆するメッセージ、または、前記試薬または消耗品の補充を促すメッセージを、前記警告表示領域に表示させる、検体分析装置。
【請求項４】
請求項２または３に記載の検体分析装置において、
前記引継補助画面は、前記測定部が保有する複数の試薬のそれぞれについての実績情報と残量情報とを含む、検体分析装置。
【請求項５】
請求項２ないし４の何れか一項に記載の検体分析装置において、
前記制御部は、前記測定部が過去の所定の時間帯において消費した試薬または消耗品の消費実績を複数の期間毎に取得し、前記複数の期間内での消費実績の最大値または各期間における消費実績の平均値を、前記実績情報として、前記引継補助画面を生成する、検体分析装置。
【請求項６】
請求項２ないし５の何れか一項に記載の検体分析装置において、
前記制御部は、前記試薬または消耗品の残量情報が、予め決められた閾値か、または、その試薬または消耗品の過去の消費実績に基づいて決められる閾値に満たない場合、その試薬または消耗品の残量情報を強調表示させる、検体分析装置。
【請求項７】
請求項２ないし６の何れか一項に記載の検体分析装置において、
前記実績情報は、前記所定の時間帯において、前記測定部が前記試薬または消耗品を消費した量、または、前記測定部が前記試薬または消耗品を使用して実行した測定回数である、検体分析装置。
【請求項８】
請求項２ないし７の何れか一項に記載の検体分析装置において、
前記制御部は、
前記所定の操作が行われると、引継後のユーザが検体分析装置を操作する時間帯を指定する指定画面を表示部に表示させ、
前記指定画面において任意の時間帯が指定されると、前記測定部が過去の指定された時間帯において消費した試薬または消耗品の消費実績を前記実績情報として表示させる、検体分析装置。
【請求項９】
請求項８に記載の検体分析装置において、
前記指定画面は、少なくとも、夜間として予め定義された第１の時間帯、および休日として予め定義された第２の時間帯を選択肢として含み、
前記制御部は、
前記選択画面において第１の時間帯が選択されると、前記測定部が過去のある一日の第１の時間帯において消費した試薬または消耗品の消費実績を前記実績情報として表示させ、
前記選択画面において第２の時間帯が選択されると、前記測定部が過去のある第２の時間帯において消費した試薬または消耗品の消費実績を前記実績情報として表示させる、検体分析装置。
【請求項１０】
請求項１ないし９の何れか一項に記載の検体分析装置において、
前記引継補助画面は、引継後のユーザに対するメッセージを入力するためのメッセージ入力領域を含む、検体分析装置。
【請求項１１】
請求項１ないし１０の何れか一項に記載の検体分析装置において、
前記引継補助画面は、前記所定の操作が行われた当日に検体分析装置に生じた不具合に関する情報を表示するエラー表示領域を含む、検体分析装置。
【請求項１２】
請求項１ないし１１の何れか一項に記載の検体分析装置において、
前記引継補助画面は、前記測定部によって用いられる定期的に交換を要する部品の耐用期間または使用可能回数と、操作を受け付けた時点での前記部品の使用を開始してから経過した時間または使用した回数とを表示する部品情報領域を含む、検体分析装置。
【請求項１３】
請求項１ないし１２の何れか一項に記載の検体分析装置において、
前記所定の操作は、一のユーザによる当該検体分析装置の操作を終了する際に入力を受け付けるボタンの操作を含む、検体分析装置。
【請求項１４】
請求項１ないし１３の何れか一項に記載の検体分析装置において、
前記残量情報は、前記測定部が、残っている前記試薬または消耗品を用いて実行することが可能な残り測定回数である、検体分析装置。
【請求項１５】
請求項１ないし１４の何れか一項に記載の検体分析装置において、
前記引継補助画面は、前記試薬または消耗品の補充を進めるための入力を受け付ける受付手段をさらに含む、検体分析装置。
【請求項１６】
試薬と検体とを混和して調製した試料を測定する測定部と、
表示部と、
制御部と、を備え、
前記制御部は、ユーザによって時間帯を指定する操作が行われると、指定された時間帯において前記測定部が過去に消費した試薬または消耗品の消費実績と、前記操作が行われた時点での前記試薬または消耗品の残量とを比較し、前記試薬または消耗品が指定された時間帯に不足する可能性があると判断した場合には、それを示唆するメッセージか、または、前記試薬または消耗品の補充を促すメッセージを含む引継補助画面を、前記表示部に表示させる、検体分析装置。
【発明の詳細な説明】
【技術分野】
【０００１】
本発明は、試薬や消耗品を使用して血液等の検体を分析する検体分析装置に関する。
【背景技術】
【０００２】
患者に対して医学的処置を行う前に、患者から採取した検体に対して、検体分析装置を用いて臨床検査が行われる。このような検査は、通常、病院等の施設が開いている平日の昼間の時間帯に行われる。しかしながら、施設に緊急の患者が搬送された場合には、平日の夜間や休日にも、検査が行われることがある。平日の夜間や休日には、検体分析装置の操作に慣れていない経験の浅い検査技師が検査を担当したり、他の検査の専門の検査技師が、自らの専門でない種類の検査を担当したりする場合がある。そのような不慣れなユーザであっても、操作ミスをすることなく検体分析装置を使用した検査業務を行えるように、種々の技術が提案されている。
【０００３】
特許文献１には、夜間当直のような装置に不慣れなオペレータであっても、試薬の交換、補充、キャリブレーション、精度管理といった検体分析装置の準備の作業を抜け漏れなく実施できるようにするために、分析前に実施すべき準備作業に用いる複数のボタンを、準備の流れに沿って画面に表示する自動分析装置が開示されている。この文献には、試薬状況を確認するための画面として、装置内の試薬や消耗品の残量を示す画面を表示することも開示されている。
【０００４】
特許文献２には、不慣れな操作者が装置にログオンしたときに、試薬の準備作業などの操作手順のガイダンスを画面に表示させるようにした自動分析システムが開示されている。画面には、操作手順として、装置への試薬登録の手順や、試薬の取り扱いに関する注意事項などが表示される。
【先行技術文献】
【特許文献】
【０００５】
【特許文献１】特開２００４−２８９３２号公報
【特許文献２】特開２００８−７０３２１号公報
【発明の概要】
【発明が解決しようとする課題】
【０００６】
特許文献１および２に開示されている技術によれば、試薬や消耗品の補充に際して、操作に不慣れなユーザの負担をいくぶん軽減することは可能であるが、試薬等の補充の作業に伴う負担がなくなるわけではない。まして、夜間や休日の検査には緊急性が求められるため、たとえユーザが試薬等の補充を行えるとしても、このような作業に時間を掛けることは望ましくない。
【０００７】
そのため、特許文献１、２に開示されているような従来技術では、夜間や休日に検査を担当するユーザの負担軽減は、決して十分ではなかった。
【課題を解決するための手段】
【０００８】
上記の課題を解決することを目的とする本発明の主たる態様は、検体分析装置に関する。この態様に係る検体分析装置は、試薬と検体とを混和して調製した試料を測定する測定部と、表示部と、制御部と、を備え、前記制御部は、所定の操作が行われると、その時点で測定部が保有している試薬または消耗品の残量に関する残量情報を含む引継補助画面を、前記表示部に表示させることを特徴とする。
【０００９】
従来提案されていた技術は、夜間休日に検査を担当する不慣れなユーザであっても、試薬等の補充を円滑に実施できるようにすることを志向したものであった。しかしながら、試薬等の補充の作業は、不慣れなユーザに任せるよりも、普段から装置の操作に慣れているユーザが引継前に済ませておけば、操作ミスもなく、確実である。
【００１０】
そこで、本発明は、引継前のユーザが、夜間休日を担当するユーザに業務を引き継ぐ前に、試薬等の補充を円滑に実施できるようにした。
【００１１】
本態様に係る検体分析装置によれば、引継前のユーザは、所定の操作を行うことによって、その時点での試薬または消耗品の残量情報が表示された引継補助画面を表示部に表示させることができる。この引継補助画面を参照することで、引継前のユーザは、引継後のユーザの担当時間内の検査をまかなえるだけ試薬または消耗品が残っているか否かを判断することができる。
【００１２】
なお、本明細書において、「時間帯」とは、２４時間のうちの２時点間を意味するだけでなく、２４時間を超える日単位の期間をも含む。
【００１３】
前記引継補助画面は、前記測定部が過去の所定の時間帯において消費した前記試薬または消耗品の消費実績に関する実績情報をさらに含む構成とされ得る。こうすると、過去に消費された試薬または消耗品の消費実績と、現時点での試薬または消耗品の残量とを対比して見ることができる。したがって、引継前のユーザは、試薬または消耗品が、引継後のユーザの担当時間内の検査をまかなえるだけ残っているか否かを、実績情報を基に、経験的に判断することができる。
【００１４】
前記引継補助画面は、前記実績情報および残量情報が表示される情報表示領域と、残量に関する警告を表示する警告表示領域とを含み、前記制御部は、前記試薬または消耗品の残量情報と前記消費実績とを比較し、前記試薬または消耗品が前記時間帯に不足する可能性がある場合に、それを示唆するメッセージ、または、前記試薬または消耗品の補充を促すメッセージを、前記警告表示領域に表示させる構成とされ得る。こうすると、消費実績と残量情報を基に、不足の可能性があるか否かをユーザが判断する手間が省ける。
【００１５】
前記引継補助画面は、前記測定部が保有する複数の試薬のそれぞれについての実績情報と残量情報とを含む構成とされ得る。こうすると、各試薬の残量情報と使用実績とが対応付けて表示されるため、ユーザは、画面表示を切り替える操作を行うことなく、各試薬の補充の要否を、引継補助画面を一目見て判断することができる。
【００１６】
また、前記制御部は、前記測定部が過去の所定の時間帯において消費した試薬または消耗品の消費実績を複数の期間毎に取得し、前記複数の期間内での消費実績の最大値または各期間における消費実績の平均値を、前記実績情報として、前記引継補助画面を生成する構成とされ得る。こうすると、消費実績の最大値が表示される場合、残量が当該最大値を超えていれば、引継後に当該試薬または消耗品の補充が必要となることは略起こらないと判断できる。また、消費実績の平均値が表示される場合、残量が当該平均値を超えていれば、引継後に当該試薬または消耗品の補充が必要となることは経験的には起こらないと判断できる。
【００１７】
また、前記制御部は、前記試薬または消耗品の残量情報が、予め決められた閾値か、または、その試薬または消耗品の過去の消費実績に基づいて決められる閾値に満たない場合、その試薬または消耗品の残量情報を強調表示させる構成とされ得る。こうすると、ユーザは、前記表示によって、残量が少ない試薬または消耗品を容易に知ることができる。よ
って、試薬または消耗品の補充を円滑に進めることができる。
【００１８】
前記実績情報は、前記所定の時間帯において、前記測定部が前記試薬または消耗品を消費した量、または、前記測定部が前記試薬または消耗品を使用して実行した測定回数である構成とされ得る。
【００１９】
前記制御部は、前記所定の操作が行われると、引継後のユーザが検体分析装置を操作する時間帯を指定する指定画面を表示部に表示させ、前記指定画面において任意の時間帯が指定されると、前記測定部が過去の指定された時間帯において消費した試薬または消耗品の消費実績を前記実績情報として表示させる構成とされ得る。こうすると、検体分析装置の操作が引き継がれる時間帯を指定することができ、指定した時間帯に応じて、過去の同じ時間帯における消費実績を把握することができる。よって、より綿密に引継後の試薬または消耗品の使用量を予測できる。
【００２０】
前記指定画面は、少なくとも、夜間として予め定義された第１の時間帯、および休日として予め定義された第２の時間帯を選択肢として含み、前記制御部は、前記選択画面において第１の時間帯が選択されると、前記測定部が過去のある一日の第１の時間帯において消費した試薬または消耗品の消費実績を前記実績情報として表示させ、前記選択画面において第２の時間帯が選択されると、前記測定部が過去のある第２の時間帯において消費した試薬または消耗品の消費実績を前記実績情報として表示させる構成とされ得る。こうすると、夜間および休日の両方での運用があり得る場合に、検体分析装置の操作が夜間に引き継がれるのか、休日に引き継がれるのかを簡単に指定することができる。
【００２１】
前記引継補助画面は、引継後のユーザに対するメッセージを入力するためのメッセージ入力領域を含む構成とされ得る。こうすると、操作に不慣れな引継後のユーザに対して、特に準備しておくべきことや、操作上の注意事項などを連絡することができる。
【００２２】
前記引継補助画面は、前記所定の操作が行われた当日に検体分析装置に生じた不具合に関する情報を表示するエラー表示領域を含む構成とされ得る。こうすると、ユーザは、画面に含まれた不具合に関する表示を見ることにより、引継後に同様のエラーが発生する可能性があることを知ることができる。よって、引継前のユーザは、引継後に不具合が起きないようにするための措置を講じたり、引継後に不具合が起きたときのために、引継後のユーザに連絡事項を残しておくことができる。
【００２３】
前記引継補助画面は、前記測定部によって用いられる定期的に交換を要する部品の耐用期間または使用可能回数と、操作を受け付けた時点での前記部品の使用を開始してから経過した時間または使用した回数とを表示する部品情報領域を含む構成とされ得る。こうすると、ユーザは、定期的に交換を要する部品の使用時間がもうすぐ耐用期間に達するとか、部品の使用回数がもうすぐ使用可能回数に達するといったことを、引継前に知ることができる。したがって、夜間または休日に故障が起きるリスクを最低限におさえるために予め部品を交換しておいたり、引継後のユーザが部品の交換をしやすいように、部品を準備しておくといった次善策を講じることに役立つ。
【００２４】
前記所定の操作は、一のユーザによる当該検体分析装置の操作を終了する際に入力を受け付けるボタンの操作を含む構成とされ得る。こうすると、ユーザが当該検体分析装置の操作を終了する際に必ず引継補助画面が表示されるため、各試薬または消耗品の補充の必要性を確実にユーザに把握させることができる。よって、引継後に試薬または消耗品の補充が必要になることを、より確実に、回避することができる。
【００２５】
前記残量情報は、前記測定部が、残っている前記試薬または消耗品を用いて実行するこ
とが可能な残り測定回数である構成とされ得る。こうすると、ユーザは、表示された画面を見ることにより、各測定項目について測定可能な回数を把握することができるため、各測定項目において使用される試薬または消耗品の補充の要否を把握することができる。よって、引継後に、試薬または消耗品の補充が必要になることを回避できる。
【００２６】
前記引継補助画面は、前記試薬または消耗品の補充を進めるための入力を受け付ける受付手段をさらに含む構成とされ得る。こうすると、ユーザは、表示された画面を見ることにより、試薬または消耗品の補充が必要であると判断した場合に、受付手段を介して試薬または消耗品の補充を円滑に進めることができる。
【００２７】
本発明の別の態様は、試薬と検体とを混和して調製した試料を測定する測定部と、表示部と、制御部と、を備え、前記制御部は、ユーザによって時間帯を指定する操作が行われると、指定された時間帯において前記測定部が過去に消費した試薬または消耗品の消費実績と、前記操作が行われた時点での前記試薬または消耗品の残量とを比較し、前記試薬または消耗品が指定された時間帯に不足する可能性があると判断した場合には、それを示唆するメッセージか、または、前記試薬または消耗品の補充を促すメッセージを含む引継補助画面を、前記表示部に表示させることを特徴とする検体分析装置である。
【００２８】
本態様に係る検体分析装置によれば、過去に消費した試薬または消耗品の消費実績と、試薬または消耗品の残量とが比較される。そして、試薬または消耗品が不足する可能性があると、それを示唆するメッセージ等が引継補助画面に表示される。これにより、引継前のユーザは、引継後のユーザの担当時間内の検査をまかなえるだけ試薬または消耗品が残っているか否かを判断することができる。
【発明の効果】
【００２９】
以上のとおり、本発明によれば、引き継ぎの際に、補充が必要な試薬や消耗品等を容易かつ円滑に確認可能な検体分析装置を提供することができる。
【００３０】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００３１】
【図１】実施の形態に係る検体分析装置の外観の構成を示す斜視図である。
【図２】実施の形態に係る測定部の内部を上側から見た場合の平面図である。
【図３】実施の形態に係るメニュー画面を示す図である。
【図４】実施の形態に係る試薬配置画面を示す図である。
【図５】実施の形態に係るメンテナンス画面を示す図である。
【図６】実施の形態に係る測定部の構成を示す図である。
【図７】実施の形態に係る制御装置の構成を示す図である。
【図８】実施の形態に係る試薬残量データベース、試薬使用量設定、エラー履歴データベース、および測定履歴データベースの構成を概念的に示す図である。
【図９】実施の形態に係る引継ボタンが押されたときに表示される画面を示す図である。
【図１０】実施の形態に係る引継補助画面を示す図である。
【図１１】実施の形態に係る引継時の制御装置の処理を示すフローチャートである。
【図１２】実施の形態に係る警告ダイアログを示す図および引継補助画面の表示処理を示すフローチャートである。
【図１３】変更例に係る引継設定画面を示す図および設定された時間帯を示す図である。
【図１４】変更例に係る引継補助画面のリストを示す図およびその他の変更例に係る引継補助画面のリストを示す図である。
【図１５】その他の変更例に係る引継補助画面のリストを示す図である。
【図１６】その他の変更例に係る引継補助画面を示す図である。
【発明を実施するための形態】
【００３２】
本実施の形態の検体分析装置は、検体（血漿）に試薬を添加することで調製された測定試料に光を照射し、得られた透過光を、凝固法、合成基質法、免疫比濁法または凝集法によって解析することにより、血液の凝固能に関する分析を行う血液凝固分析装置である。以下、本実施の形態に係る検体分析装置について、図面を参照して説明する。
【００３３】
図１は、検体分析装置１の外観の構成を示す斜視図である。
【００３４】
検体分析装置１は、検体（血漿）に含まれる成分を光学的に測定する測定部２と、測定部２の前方に配置された検体搬送部３と、測定部２により取得された測定データを分析すると共に、測定部２に指示を与える制御装置４を備えている。
【００３５】
測定部２には、蓋２ａ、２ｂと、カバー２ｃと、電源ボタン２ｄが設けられている。ユーザは、蓋２ａを開けて、試薬テーブル１１、１２（図２参照）に設置されている試薬容器１０３を新たな試薬容器１０３と交換し、また、別の試薬容器１０３を新たに追加することができる。
【００３６】
なお、本明細書において、試薬容器１０３の「交換」および「追加」の両方を含む意味で、「補充」という用語を用いることとする。補充とは、検体分析装置１に対して、試薬または消耗品の残量を増やす作業を意味する。なお、ロット番号と有効期限を管理する必要がない試薬に関しては、継ぎ足しによる試薬の補充があり得る。例えば、ピペットを洗浄するための洗浄液や、染料を含有する染色液などは、継ぎ足しが可能な試薬の例である。
【００３７】
試薬容器１０３には、収容する試薬の種類と、試薬に付与されたシリアルナンバーからなる試薬ＩＤを含むバーコードが印刷されたバーコードラベル１０３ａが貼付されている。また、ユーザは、蓋２ｂを開けて、ランプユニット２０（図２参照）を交換することができ、カバー２ｃを開けて、ピアサ１７ａ（図２参照）を交換することができる。検体搬送部３は、検体ラック１０２に支持された検体容器１０１を、ピアサ１７ａによる吸引位置まで搬送する。検体容器１０１は、ゴム製の蓋１０１ａにより密封されている。
【００３８】
ユーザは、検体分析装置１を使用する場合、まず、測定部２の電源ボタン２ｄを押して測定部２を起動させ、制御装置４の電源ボタン４０９を押して制御装置４を起動する。制御装置４が起動すると、表示部４１にログオン画面が表示される。ユーザは、ログオン画面において、ユーザ名とパスワードを入力して制御装置４にログオンし、検体分析装置１の使用を開始する。また、直前に別のユーザが使用しており、測定部２と制御装置４がログオフ状態（誰のアカウントによってもログオンされていない状態）で起動している場合、ユーザは、表示部４１に表示されているログオン画面において、ユーザ名とパスワードを入力して制御装置４にログオンし、検体分析装置１の使用を開始する。
【００３９】
ユーザは、検体分析装置１の使用を終了する場合、表示部４１に表示されるシャットダウンボタンＤ１７（図３参照）を押下して制御装置４をシャットダウンさせ、測定部２の電源ボタン２ｄを押して測定部２の電源をオフにし、検体分析装置１の使用を終了する。また、直後に別のユーザに対して検体分析装置１の使用を引き継ぐ場合、ユーザは、表示部４１に表示されるログオフボタンＤ１６（図３参照）を押下して、制御装置４からログ
オフし、検体分析装置１の使用を終了する。なお、本実施の形態では、別のユーザに対して検体分析装置１の使用を引き継ぐ場合、ユーザは、ログオフボタンＤ１６またはシャットダウンボタンＤ１７を押下する前に、引継ボタンＤ１５（図３参照）を押して引き継ぎ作業を行う。引き継ぎ作業については、追って図９以降を参照して説明する。
【００４０】
図２は、測定部２の内部を上側から見た場合の平面図である。
【００４１】
試薬テーブル１１、１２とキュベットテーブル１３は、円環形状を有すると共に、回転可能となるよう構成されている。試薬テーブル１１、１２には、試薬容器１０３が載置される。試薬テーブル１１、１２に載置された試薬容器１０３のバーコードは、バーコードリーダ１４により読み取られる。バーコードから読み取られた情報、すなわち試薬の種類と試薬ＩＤは、制御装置４に入力され、ハードディスク４０４に格納される。キュベットテーブル１３には、キュベット１０４を支持可能な複数の孔からなる支持部１３ａが形成されている。ユーザによってキュベット供給部１５に投入された新しいキュベット１０４は、キュベット供給部１５により順次移送され、キャッチャ１６によりキュベットテーブル１３の支持部１３ａに設置される。
【００４２】
検体分注アーム１７と試薬分注アーム１８には、それぞれ、上下移動および回転移動することができるようステッピングモータが接続されている。検体分注アーム１７の先端には検体容器１０１の蓋１０１ａを穿刺できるよう先端が鋭利に形成されたピアサ１７ａが設置されている。試薬分注アーム１８の先端にはピペット１８ａが設置されている。ピペット１８ａの先端は、ピアサ１７ａと異なり平坦に形成されている。また、ピペット１８ａには、静電容量式の液面検知センサ２１３（図６参照）が接続されている。
【００４３】
ランプユニット２０は、第１検出部２２と第２検出部２３による光学的な信号の検出に用いられる５種類の波長の光を供給する。ランプユニット２０の光は、光ファイバ２１ａ、２１ｂを介して、それぞれ、第１検出部２２と第２検出部２３に供給される。
【００４４】
検体搬送部３によって検体容器１０１が所定位置に搬送されると、ピアサ１７ａが、検体分注アーム１７の回転移動により検体容器１０１の真上に位置付けられる。そして、検体分注アーム１７が下方向に移動され、ピアサ１７ａが検体容器１０１の蓋１０１ａを貫通し、検体容器１０１に収容されている検体が、ピアサ１７ａにより吸引される。緊急検体セット部１９に緊急を要する検体がセットされている場合、ピアサ１７ａは、検体搬送部３から供給される検体に割り込んで、緊急を要する検体を吸引する。ピアサ１７ａにより吸引された検体は、キュベットテーブル１３上の新しいキュベット１０４に吐出される。
【００４５】
検体が吐出されたキュベット１０４は、キュベットテーブル１３が回転されることにより、第１検出部２２による光学的な情報の取得が可能な位置に搬送される。第１検出部２２は、ランプユニット２０から供給された光を、試薬を添加する前の検体に照射し、透過光量（第１光学的情報）を取得する。取得された第１光学的情報は、制御装置４に送信される。
【００４６】
第１光学的情報が取得されると、このキュベット１０４は、キュベット移送部２４のキャッチャ２４ａにより、キュベットテーブル１３の支持部１３ａから、加温部２５の支持部２５ａに移送される。加温部２５は、支持部２５ａに設置されたキュベット１０４に収容されている検体を、約３７℃に加温する。加温部２５による検体の加温が終了すると、このキュベット１０４は、キャッチャ２４ａによって再び把持される。そして、このキュベット１０４は、キャッチャ２４ａにより把持されたまま所定位置に位置付けられ、この状態で、ピペット１８ａにより吸引された試薬が吐出される。
【００４７】
ピペット１８ａによる試薬の分注では、まず、試薬テーブル１１、１２が回転され、測定項目に対応する試薬を収容する試薬容器１０３が、ピペット１８ａによる吸引位置に搬送される。そして、原点位置を検知するためのセンサに基づいて、ピペット１８ａの上下方向の位置が原点位置に位置付けられた後、液面検知センサ２１３によりピペット１８ａの下端が試薬の液面に接触するまで、ピペット１８ａが下降される。ピペット１８ａの下端が試薬の液面に接触すると、必要な量の試薬を吸引できる程度に、さらにピペット１８ａが下降される。しかる後、ピペット１８ａの下降が停止され、ピペット１８ａにより試薬が吸引される。ピペット１８ａにより吸引された試薬は、キャッチャ２４ａによって把持されたキュベット１０４に吐出される。そして、キャッチャ２４ａの振動機能により、キュベット１０４内の検体と試薬が攪拌される。これにより、測定試料の調製が行われる。
【００４８】
測定試料を収容するキュベット１０４は、キャッチャ２４ａにより、第２検出部２３の支持部２３ａに移送される。第２検出部２３は、ランプユニット２０から供給される光をキュベット１０４に照射し、透過光量（第２光学的情報）を取得する。第２光学的情報は、制御装置４に送信される。制御装置４は、第１光学的情報と第２光学的情報に基づいて分析を行い、分析結果を表示部４１に表示する。こうして、検体の測定が終了する。
【００４９】
測定が終了し不要となったキュベット１０４は、キュベットテーブル１３により搬送され、キャッチャ１６により廃棄口２６に廃棄される。なお、ピアサ１７ａとピペット１８ａは、流体部２７から供給される洗浄液などの液体により、適宜洗浄される。
【００５０】
図３は、制御装置４の表示部４１に表示されるメニュー画面Ｄ１を示す図である。メニュー画面Ｄ１は、ユーザが制御装置４にログオンすると、表示部４１に表示される。
【００５１】
メニュー画面Ｄ１は、測定部２と検体搬送部３による測定動作を開始させるためのボタンＤ１１と、測定動作を停止させるためのボタンＤ１２と、試薬配置画面Ｄ２（図４参照）を表示させるための試薬情報ボタンＤ１３と、メンテナンス画面Ｄ３〜Ｄ５（図５（ａ）〜（ｃ）参照）を表示させるためのメンテナンスボタンＤ１４と、引継ボタンＤ１５と、制御装置４からログオフするためのログオフボタンＤ１６と、制御装置４をシャットダウンするためのシャットダウンボタンＤ１７と、各種設定を行うための設定ボタンＤ１８を含んでいる。引継ボタンＤ１５については、追って図９と図１０を参照して説明する。
【００５２】
図４は、制御装置４の表示部４１に表示される試薬配置画面Ｄ２を示す図である。
【００５３】
試薬配置画面Ｄ２は、メニュー画面Ｄ１のボタンＤ１１、Ｄ１２と同様に測定動作を開始および停止させるためのボタンＤ２１、Ｄ２２と、試薬配置表示領域Ｄ２３と、試薬情報表示領域Ｄ２５と、試薬の補充を行うための試薬交換・追加ボタンＤ２６を含んでいる。
【００５４】
試薬配置表示領域Ｄ２３には、試薬テーブル１１、１２上の試薬容器１０３の位置に対応する試薬表示領域Ｄ２４が表示される。試薬表示領域Ｄ２４は、試薬容器１０３の位置を示す表示部Ｄ２４１と、試薬容器１０３内の試薬の試薬名を示す表示部Ｄ２４２と、試薬容器１０３内の試薬の残量を示す表示部Ｄ２４３を含む。表示部Ｄ２４３に示される試薬の残量は、試薬残量データベース（図８（ａ）参照）の残量項目に基づいて表示される。
【００５５】
試薬情報表示領域Ｄ２５には、試薬表示領域Ｄ２４が押下されることにより指定された試薬容器１０３の属性情報（ホルダ番号、試薬名、使用可能量、残テスト数など）が表示
される。属性情報において、ホルダ番号は、表示部Ｄ２４１の表示内容に対応し、使用可能量は、表示部Ｄ２４３の表示内容に対応する。なお、試薬は複数の測定項目において使用されることがあるため、試薬情報表示領域Ｄ２５の残テスト数には、ある測定項目の測定に使用する試薬の量を１回分としたときに、残りの試薬を用いて実行可能な測定回数が表示される。
【００５６】
試薬容器１０３が配置された試薬表示領域Ｄ２４が指定された状態で、試薬交換・追加ボタンＤ２６が押下されると、試薬テーブル１１または１２が回転し、指定された試薬表示領域Ｄ２４に対応する試薬容器１０３が蓋２ａの真下に移動される。これにより、ユーザは蓋２ａを開けて、試薬容器１０３の交換を行うことができる。また、試薬容器１０３が配置されていない試薬表示領域Ｄ２４が指定された状態で、試薬交換・追加ボタンＤ２６が押下されると、押下された位置に対応する試薬テーブル１１、１２上の位置が蓋２ａの真下に移動される。これにより、ユーザは蓋２ａを開けて、試薬容器１０３の追加を行うことができる。
【００５７】
図５（ａ）〜（ｃ）は、制御装置４の表示部４１に表示されるメンテナンス画面Ｄ３〜Ｄ５を示す図である。メンテナンス画面Ｄ３〜Ｄ５は、メニュー画面Ｄ１のメンテナンスボタンＤ１４が押下されることにより表示されるメンテナンス指定画面において、表示指示が行われることにより、それぞれ表示される。
【００５８】
図５（ａ）を参照して、メンテナンス画面Ｄ３は、ランプユニット２０のメンテナンスを行うための画面であり、領域Ｄ３１、Ｄ３２を含んでいる。領域Ｄ３１には、ランプユニット２０を交換するタイミングの目安となる耐用期間が表示され、領域Ｄ３２には、現在設置されているランプユニット２０の使用時間が表示される。また、領域Ｄ３２には、使用時間をリセットするためのリセットボタンＤ３２１が含まれている。耐用期間と使用時間は制御装置４のハードディスク４０４（図７参照）に記憶され、使用時間は、ランプユニット２０の使用時間に応じてカウントアップされる。
【００５９】
ユーザは、領域Ｄ３１の耐用期間と領域Ｄ３２の使用時間を参照して、ランプユニット２０を交換する必要があると判断すると、メニュー画面Ｄ１に戻ってシャットダウンボタンＤ１７を押下して制御装置４をシャットダウンさせ、測定部２の電源をオフにする。続いて、蓋２ｂを開けてランプユニット２０の交換を行い、再び検体分析装置１を起動して、制御装置４にログオンする。そして、メンテナンス画面Ｄ３を再び表示させてリセットボタンＤ３２１を押下し、領域Ｄ３２内の使用時間を０時間にする。こうして、ランプユニット２０の交換が完了する。
【００６０】
図５（ｂ）を参照して、メンテナンス画面Ｄ４は、ピアサ１７ａのメンテナンスを行うための画面であり、領域Ｄ４１、Ｄ４２を含んでいる。領域Ｄ４１には、ピアサ１７ａを交換するタイミングの目安となる使用可能回数が表示され、領域Ｄ４２には、現在設置されているピアサ１７ａの使用回数が表示される。また、領域Ｄ４２には、使用回数をリセットするためのリセットボタンＤ４２１が含まれている。使用可能回数と使用回数は制御装置４のハードディスク４０４（図７参照）に記憶され、使用回数は、検体分注アーム１７が上下に移動してピアサ１７ａが検体容器１０１の蓋１０１ａを貫通するたびにカウントアップされる。
【００６１】
ユーザは、領域Ｄ４１の使用可能回数と領域Ｄ４２の使用回数を参照して、ランプユニット２０を交換する必要があると判断すると、メニュー画面Ｄ１に戻ってシャットダウンボタンＤ１７を押下して制御装置４をシャットダウンさせ、測定部２の電源をオフにする。続いて、カバー２ｃを開けてピアサ１７ａの交換を行い、再び検体分析装置１を起動して、制御装置４にログオンする。そして、メンテナンス画面Ｄ４を再び表示させてリセッ
トボタンＤ４２１を押下し、領域Ｄ４２内の使用回数を０回にする。こうして、ピアサ１７ａの交換が完了する。
【００６２】
図５（ｃ）を参照して、メンテナンス画面Ｄ５は、測定部２において発生したエラー履歴を示す画面であり、リストＤ５１を含んでいる。リストＤ５１に示されるエラー履歴は、エラー履歴データベース（図８（ｃ）参照）に基づいて表示される。ユーザは、リストＤ５１を参照することにより、過去に発生したエラーに基づいて、適宜対処を行うことができる。
【００６３】
図６は、測定部２の構成を示す図である。
【００６４】
測定部２は、制御部２００と、ステッピングモータ部２１１と、ロータリーエンコーダ部２１２と、液面検知センサ２１３と、センサ部２１４と、機構部２１５と、バーコードリーダ１４と、ランプユニット２０を含んでいる。制御部２００は、ＣＰＵ２０１と、メモリ２０２と、通信インターフェース２０３と、Ｉ／Ｏインターフェース２０４を含んでいる。
【００６５】
ＣＰＵ２０１は、メモリ２０２に記憶されているコンピュータプログラムを実行する。メモリ２０２は、ＲＯＭ、ＲＡＭ、ハードディスク等からなる。また、ＣＰＵ２０１は、通信インターフェース２０３を介して、検体搬送部３を駆動させると共に、制御装置４との間で指示信号およびデータの送受信を行う。また、ＣＰＵ２０１は、Ｉ／Ｏインターフェース２０４を介して、測定部２内の各部を制御すると共に、各部から出力された信号を受信する。
【００６６】
ステッピングモータ部２１１は、試薬テーブル１１、１２と、キュベットテーブル１３と、キュベットテーブル１３と、キャッチャ１６と、検体分注アーム１７と、試薬分注アーム１８と、キュベット移送部２４を、それぞれ駆動するためのステッピングモータを含んでいる。ロータリーエンコーダ部２１２は、ステッピングモータ部２１１に含まれる各ステッピングモータの回転変位量に応じたパルス信号を出力するロータリーエンコーダを含んでいる。
【００６７】
液面検知センサ２１３は、試薬分注アーム１８の先端に設置されたピペット１８ａに接続されており、ピペット１８ａの下端が試薬の液面に接触したことを検知する。センサ部２１４は、ピペット１８ａの上下方向の位置が原点位置に位置付けられたことを検知するセンサと、電源ボタン２ｄが押されたことを検知するセンサを含んでいる。機構部２１５は、キュベット供給部１５と、緊急検体セット部１９と、加温部２５と、流体部２７を駆動するための機構と、ピアサ１７ａとピペット１８ａによる分注動作が可能となるようピアサ１７ａとピペット１８ａに圧力を供給する空圧源を含んでいる。検出部２１６は、第１検出部２２と第２検出部２３を含んでいる。
【００６８】
図７は、制御装置４の構成を示す図である。
【００６９】
制御装置４は、パーソナルコンピュータからなり、本体４０と、表示部４１と、入力部４２から構成されている。本体４０は、ＣＰＵ４０１と、ＲＯＭ４０２と、ＲＡＭ４０３と、ハードディスク４０４と、読出装置４０５と、画像出力インターフェース４０６と、入出力インターフェース４０７と、通信インターフェース４０８と、電源ボタン４０９を有する。
【００７０】
ＣＰＵ４０１は、ＲＯＭ４０２に記憶されているコンピュータプログラムおよびＲＡＭ４０３にロードされたコンピュータプログラムを実行する。ＲＡＭ４０３は、ＲＯＭ４０
２およびハードディスク４０４に記録されているコンピュータプログラムの読み出しに用いられる。また、ＲＡＭ４０３は、これらのコンピュータプログラムを実行するときに、ＣＰＵ４０１の作業領域としても利用される。
【００７１】
ハードディスク４０４には、オペレーティングシステム、ＣＰＵ４０１に実行させるためのコンピュータプログラム、試薬残量データベースと、試薬使用量設定と、エラー履歴データベースと、測定履歴データベース（図８（ａ）〜（ｄ）参照）と、制御装置４の設定内容が記憶されている。読出装置４０５は、ＣＤドライブまたはＤＶＤドライブ等によって構成されており、記録媒体に記録されたコンピュータプログラムおよびデータを読み出すことができる。
【００７２】
画像出力インターフェース４０６は、画像データに応じた映像信号を表示部４１に出力し、表示部４１は、画像出力インターフェース４０６から出力された映像信号に基づいて画像を表示する。ユーザは入力部４２を介して指示を入力し、入出力インターフェース４０７は、入力部４２を介して入力された信号を受け付ける。通信インターフェース４０８は、測定部２に接続されており、ＣＰＵ４０１は、通信インターフェース４０８を介して、測定部２との間で指示信号およびデータの送受信を行う。
【００７３】
図８（ａ）は、試薬残量データベースの構成を示す概念図である。
【００７４】
試薬残量データベースは、試薬テーブル１１、１２に配置されている試薬容器１０３の位置を示す位置項目と、試薬ＩＤを示す試薬ＩＤ項目と、試薬名を示す試薬名項目と、試薬の残量（ｍＬ）を示す残量項目を含んでいる。残量項目は、試薬の交換または追加時と、試薬の吸引時に更新される。
【００７５】
制御装置４のハードディスク４０４には、液面高さと試薬の残量（体積）との関係式が、試薬の種類ごとに記憶されている。試薬交換・追加ボタンＤ２６が押下されると、ピペット１８ａが各試薬容器１０３に対して挿入され、液面の高さ位置が検出される。そして、検出された高さ位置と、ハードディスク４０４に記憶された関係式とを基に、この試薬の残量（体積）が算出され、残量項目の数値が更新される。試薬から吸引が行われる際には、その時点で試薬残量テーブルの残量項目に格納されている残量から、吸引された試薬の量（使用量）が差し引かれた値が、新たな試薬残量の値として、残量項目が更新される。これにより、試薬残量データベースには、試薬テーブル１１、１２上の全ての試薬容器１０３の残量が記憶されることになる。
【００７６】
なお、液面の高さ位置は、ピペット１８ａが原点位置に位置付けられた後、試薬の液面に接触するまでに、試薬分注アーム１８に接続されたステッピングモータの回転変位量（ロータリーエンコーダの出力するパルス数）に基づいて取得される。また、測定項目ごとに必要な試薬の量は、図８（ｂ）に示すような試薬使用量設定に基づいて予め決められている。試薬使用量設定は、測定項目と、測定項目に必要とされる試薬名を示す試薬名項目と、１回の測定に必要な試薬の量を示す使用量項目を含んでいる。
【００７７】
図８（ｃ）、（ｄ）は、それぞれ、エラー履歴データベースと測定履歴データベースの構成を示す概念図である。
【００７８】
エラー履歴データベースは、エラーが発生した日時を示す日時項目と、エラー名を示すエラー名項目を含んでいる。測定履歴データベースは、１検体ごとに、測定が終了した日時を示す日時項目と、測定項目の測定回数を示す測定回数項目を含んでいる。なお、１つの検体が複数のキュベット１０４に分注されて複数の測定項目が行われた場合、日時項目は、最後の測定項目が終了したときの日時となる。
【００７９】
ここで、一般に、平日の昼間には、多くの検体がルーチン検査（定常的に実施される検査）にかけられる。そのため、検査を効率的に行うための人員配置として、検体分析装置１の操作について専門的なトレーニングを受けた検査技師が少なくとも一人配置されるのが一般的である。
【００８０】
一方、平日の夜間や休日にはルーチン検査は行われず、緊急で搬送された患者の検体を検査するといったイレギュラーなケースでしか検査は発生しない。そのため、夜間または休日では、経験の浅い検査技師を待機させておいたり、あるいは、血液凝固分析装置以外の検査装置（たとえば血球計数装置、生化学分析装置）の専門の検査技師を待機させておくといった、昼間とは異なる人員配置にして、人手が余ることがないようにしている施設が多い。
【００８１】
このように、夜間または休日には、検体分析装置１の操作に慣れていないユーザが、制御装置４にログオンし、検体分析装置１を動作させることが多い。夜間または休日に試薬切れが発生した場合や、ランプユニット２０やピアサ１７ａが故障した場合、操作に慣れているユーザであれば、上述したような試薬の補充や、ランプユニット２０、ピアサ１７ａの交換といった作業をスムーズに行うことができるものの、操作に不慣れなユーザが、これらの作業を行うことは容易なことではない。また、一般に、夜間や休日に発生する検査は緊急性が高いため、たとえユーザが試薬の補充を行えるとしても、このような操作に時間を掛けることは望ましくない。
【００８２】
夜間または休日中に試薬等の不足が発生しないようにするには、夜間または休日の担当者に業務が引き継がれる前に、昼間の担当者が、夜間または休日中に発生し得る検査をまかなえるだけの残量となるように、試薬等の補充を実施しておく必要がある。
【００８３】
不足が発生しないようにする一つの方法として、全ての試薬または消耗品を満杯にしておくことも考えられるが、こと試薬に関しては有効期限の問題があるため、現実的ではない。試薬には、多くの場合、試薬が開封されてからその試薬を消費できる期間である開封後有効期限が定められている。この開封後有効期限は、一般的には３０日程度と短いため、試薬の開封はなるべく遅らせることが好ましい。
【００８４】
このような事情から、一般的に試薬の補充が必要であるか否かは、夜間または休日に最低限必要となる量の試薬さえ残っていてれば必要でないし、試薬等の残量が最低限必要となる量に満たない場合には必要である。
【００８５】
しかしながら、昼間の時間帯を担当するユーザは、通常、夜間または休日にどれだけの頻度で、どの測定項目が測定されているかを知らない。ゆえに、どれだけの残量があれば、夜間休日の検査をまかなえるかを予測できないし、もし予測しようとすれば、過去の検査履歴を調べる必要がある。しかも、現時点での試薬等の残量がわからなければ、補充が必要か否かを判断できないので、検体分析装置１内に点在する試薬や消耗品があとどれだけ残っているかも調べなければならず、不便である。
【００８６】
そこで、本実施の形態では、昼間の時間帯を担当するユーザが、夜間や休日の時間帯（以下、「夜間等の時間帯」という）に検体分析装置１を使用するユーザに対して引き継ぎを行う際に、夜間等の時間帯における過去の試薬の消費量と、現時点での試薬の残量を一目で対比できるよう、一画面に集約して表示できるようにした。具体的には、昼間の担当者が自身の担当する時間帯の勤務を終えるときに、図３に示す引継ボタンＤ１５を押下すると、引継補助画面Ｄ７（図１０参照）が表示される。ユーザは、引継補助画面Ｄ７を参照して試薬の補充等を行うことにより、引き継ぎ作業を行う。
【００８７】
図９は、引継ボタンＤ１５が押されたときに表示される画面Ｄ６を示す図である。画面Ｄ６は、いつの時間帯を対象に引き継ぎを行うかについてユーザの指示を受け付けるための画面である。平日の昼間を担当しているユーザが、夜間を担当しているユーザに業務を引き継ぐ場合には、「夜間」に対応するチェックボックスＤ６１にチェックを入れ、ＯＫボタンＤ６３を押す。翌日が休日（土曜日ないし日曜日）であり、休日担当のユーザに業務を引き継ぐ場合には、「休日」に対応するチェックボックスＤ６２にチェックを入れて、ＯＫボタンＤ６３を押す。キャンセルボタンＤ６４が押されると、入力した内容は破棄され、メニュー画面Ｄ１に戻る。
【００８８】
図９で「夜間」が選択されると、夜間担当者に業務を引き継ぐための引継補助画面Ｄ７が表示される。「休日」が選択されると、休日担当者に業務を引き継ぐための引継補助画面Ｄ７が表示される。なお、本実施形態において、夜間とは１８時〜翌日の９時までの時間帯を意味している。夜間担当者に業務を引き継ぐための引継補助画面Ｄ７には、過去のある１日のうち、１８時〜翌日の９時までの時間帯に消費された試薬の消費量に関する情報などが表示される。本実施形態において、休日とは、土曜日の０時〜日曜日の２４時までの時間帯を意味している。したがって、平日昼間の担当者が引継ボタンＤ１５を押した場合、引継補助画面Ｄ７には、過去の土曜日ないし日曜日に消費された試薬の消費量に関する情報が表示される。
【００８９】
以下では、図９の画面Ｄ６において、「夜間」が選択された場合を例にとって説明することとする。
【００９０】
図１０は、制御装置４の表示部４１に表示される引継補助画面Ｄ７を示す図である。
【００９１】
領域Ｄ７１は、リストＤ７１１と、通知領域Ｄ７１２と、試薬交換ボタンＤ７１３を含んでいる。リストＤ７１１には、測定項目ごとに、残り測定回数と、過去の測定回数が表示される。
【００９２】
残り測定回数は、現時点の試薬を用いて行うことが可能な測定回数のことであり、図８（ａ）に示す試薬残量データベースの残量項目として格納されている試薬の体積を、図８（ｂ）に示す試薬使用量で除した値が表示される。過去の測定回数は、現在日の一週間前、二週間前および三週間前のそれぞれの該当日における夜間（１８時〜翌日９時）の時間帯に行われた測定回数のことである。たとえば、現在日が３月２８日である場合、過去の時間帯は、３月２１日１８時から３月２２日９時と、３月１４日１８時から３月１５日９時と、３月７日１８時から３月９日９時となる。過去の測定回数は、ＣＰＵ４０１が、図８（ｄ）に示す測定履歴データベースの中から、該当する時間帯に日時が含まれる測定履歴を抽出し、その回数を集計することにより計算され、表示される。
【００９３】
また、ある測定項目について、現在の残り測定回数が、過去の測定回数の最大値よりも少ない場合、その測定項目と測定回数が、濃い色でハイライト表示される。通知領域Ｄ７１２には、その測定項目について、図９で指定された時間帯に（つまり本日１８時〜翌日９時の間に）試薬が不足する可能性が高いことを通知するメッセージが表示される。
【００９４】
ある測定項目について、現在の残り測定回数が、過去の測定回数の最大値に所定の値Ｎ（たとえば２）を加算した値よりも少ない場合、その測定項目と測定回数が、薄い色でハイライト表示される。通知領域Ｄ７１２には、その測定項目について、指定された時間帯に試薬が不足する可能性があることを通知するメッセージが表示される。
【００９５】
ユーザは、リストＤ７１１と通知領域Ｄ７１２を参照して、試薬が不足する可能性があ
ると判断すると、試薬交換ボタンＤ７１３を押下して、図４に示す試薬配置画面Ｄ２を表示させる。そして、ユーザは、上述したように、試薬配置画面Ｄ２を介して試薬容器１０３を交換し、または追加する。試薬容器１０３の交換または追加が完了し、試薬配置画面Ｄ２が閉じられると、領域Ｄ７１の表示内容が更新される。
【００９６】
領域Ｄ７２は、リストＤ７２１とシャットダウンボタンＤ７２２を含んでいる。リストＤ７２１には、メンテナンス画面Ｄ３、Ｄ４と同様の情報、すなわち、ランプユニット２０の耐用期間と使用時間、および、ピアサ１７ａの使用可能回数と使用回数が表示される。
【００９７】
ユーザは、リストＤ７２１を参照して、ランプユニット２０またはピアサ１７ａの交換が必要と判断すると、シャットダウンボタンＤ７２２を押下して制御装置４をシャットダウンさせ、測定部２の電源をオフにする。続いて、ユーザは、上述した交換手順により、ランプユニット２０またはピアサ１７ａを交換し、再び検体分析装置１を起動させて、制御装置４にログオンする。この場合、ログオン後にメンテナンス画面Ｄ３、Ｄ４が自動的に表示されるよう制御装置４が構成されており、ユーザはリセットボタンＤ３２１またはリセットボタンＤ４２１を押下して、使用時間または使用回数をリセットする。メンテナンス画面Ｄ３、Ｄ４が閉じられると、引継補助画面Ｄ７が自動的に開くよう制御装置４が構成されている。この場合、リストＤ７２１の使用時間または使用回数がリセットされた状態となっている。
【００９８】
リストＤ７３には、エラー履歴データベースから、今回のユーザのログオン中に発生したエラーのみが表示される。また、リストＤ７３は、エラーの発生回数を示す発生回数項目を含んでいる。発生回数項目には、今回のユーザのログオン中に発生した同一エラーのうち、そのエラーが何度目に発生したものかが表示される。
【００９９】
入力領域Ｄ７４は、ユーザが文字を入力することができる領域である。ユーザにより入力領域Ｄ７４に文字が入力された後、ＯＫボタンＤ７５が押下されると、入力領域Ｄ７４に入力された文字のテキストデータが、制御装置４のハードディスク４０４に記憶される。そして、次に引継後のユーザがログオンすると、表示部４１に、入力領域Ｄ７４に入力されたテキストデータを含む画面が表示される。これにより、引き継ぎを行うユーザは、引継後のユーザに対して連絡事項を伝達することができる。
【０１００】
領域Ｄ７１内に試薬の補充が必要である旨が表示されている場合に、ＯＫボタンＤ７５が押下されると、警告ダイアログＤ８（図１２（ａ）参照）が表示される。キャンセルボタンＤ７６が押下されると、引継補助画面Ｄ７が閉じられる。
【０１０１】
図１１は、引継時の制御装置４の処理を示すフローチャートである。この処理は、ユーザによりメニュー画面Ｄ１の引継ボタンＤ１５が押下されると開始される。
【０１０２】
制御装置４のＣＰＵ４０１は、引継ボタンＤ１５が押下されると、引継補助画面Ｄ７の表示処理を行う（Ｓ１１）。引継補助画面Ｄ７の表示処理については、追って図１２（ｂ）を参照して説明する。続いて、ＣＰＵ４０１は、ユーザにより試薬交換ボタンＤ７１３、シャットダウンボタンＤ７２２、ＯＫボタンＤ７５、キャンセルボタンＤ７６の何れが押下されたかに応じて、以下の処理を行う。
【０１０３】
試薬交換ボタンＤ７１３が押下された場合（Ｓ１２：ＹＥＳ）、ＣＰＵ４０１は、表示部４１に試薬配置画面Ｄ２を表示させる（Ｓ１３）。ユーザは、上述したように、試薬配置画面Ｄ２を介して試薬の補充を行う。試薬配置画面Ｄ２の試薬交換・追加ボタンＤ２６が押下されると（Ｓ１４：ＹＥＳ）、ＣＰＵ４０１は、試薬残量データベースを更新する
（Ｓ１５）。具体的には、バーコードリーダ１４により、試薬テーブル１１、１２上の全ての試薬容器１０３のバーコードが読み取られ、交換または追加された試薬容器１０３、すなわち、図８（ａ）に示す試薬残量データベースに登録されていない試薬に対して、ピペット１８ａが下降されて試薬の残量が取得される。これにより、試薬残量データベースが更新される。
【０１０４】
試薬配置画面Ｄ２が閉じられると（Ｓ１６：ＹＥＳ）、ＣＰＵ４０１は、更新された試薬残量データベースに基づいて、リストＤ７１１の残り測定回数の項目を更新し、後述する図１２（ｂ）のＳ１０４〜Ｓ１０６と同様にして、リストＤ７１１のハイライト表示と通知領域Ｄ７１２の表示を更新する（Ｓ１７）。そして、処理がＳ１２に戻される。
【０１０５】
シャットダウンボタンＤ７２２が押下された場合（Ｓ１８：ＹＥＳ）、ＣＰＵ４０１は、次にユーザがログオンしたときに、メンテナンス画面Ｄ３、Ｄ４を自動的に表示するようにＣＰＵ４０１をリマインドするためのフラグを設定し、制御装置４をシャットダウンさせる（Ｓ１９）。そして、ユーザは、上述したようにして、ランプユニット２０またはピアサ１７ａを交換する。
【０１０６】
ＯＫボタンＤ７５が押下された場合（Ｓ２０：ＹＥＳ）、ＣＰＵ４０１は、リストＤ７１１に試薬不足の可能性がある測定項目が存在するかを判定する（Ｓ２１）。試薬不足の可能性がある測定項目が存在しないと（Ｓ２１：ＮＯ）、ＣＰＵ４０１は、入力領域Ｄ７４に入力されているテキストデータをハードディスク４０４に記憶して（Ｓ２２）、次にユーザがログオンしたときに、記憶したテキストデータを含む画面を表示部４１に自動的に表示させるようにＣＰＵ４０１をリマインドするためのフラグを設定し、引継補助画面Ｄ７を閉じる（Ｓ２３）。
【０１０７】
他方、リストＤ７１１に試薬不足の可能性がある測定項目が存在すると（Ｓ２１：ＹＥＳ）、ＣＰＵ４０１は、図１２（ａ）に示す警告ダイアログＤ８を表示部４１に表示させる（Ｓ２４）。ユーザにより警告ダイアログＤ８のＯＫボタンＤ８１が押下されると（Ｓ２５：ＹＥＳ）、引継補助画面Ｄ７が閉じられ（Ｓ２３）、ユーザにより警告ダイアログＤ８のキャンセルボタンＤ８２が押下されると（Ｓ２５：ＮＯ）、処理がＳ１２に戻される。
【０１０８】
キャンセルボタンＤ７６が押下された場合（Ｓ２６：ＹＥＳ）、引継補助画面Ｄ７が閉じられる（Ｓ２３）。
【０１０９】
図１２（ｂ）は、図１１のＳ１１に示す引継補助画面Ｄ７の表示処理を示すフローチャートである。
【０１１０】
制御装置４のＣＰＵ４０１は、試薬残量データベースから各試薬の残量を取得し、取得した残量と試薬使用量設定に基づいて、各測定項目に対応する残り測定回数を、リストＤ７１１に表示する（Ｓ１０１）。ＣＰＵ４０１は、測定履歴データベースに基づいて、先週、２週間前、３週間前の同じ曜日の夜間（１８時〜翌日９時）の時間帯において行われた各測定項目の測定回数を取得し、リストＤ７１１に表示する（Ｓ１０２）。
【０１１１】
次に、ＣＰＵ４０１は、各測定項目について、Ｓ１０２で取得した過去の測定回数の最大値を閾値Ｓｈ１とし、閾値Ｓｈ１に所定の値Ｎ（たとえば２）を加算した値を閾値Ｓｈ２とする（Ｓ１０３）。
【０１１２】
次に、ＣＰＵ４０１は、リストＤ７１１に表示された内容に基づいて、測定項目と、残り測定回数の項目のハイライト表示を行う（Ｓ１０４）。具体的には、図１０において、
測定項目「ATIII」に示すように、残り測定回数（この場合５回）が、閾値Ｓｈ１（この
場合８回）よりも小さい場合、測定項目と残り測定回数が濃い色でハイライト表示される。また、測定項目「FDP」に示すように、残り測定回数（この場合１０回）が、閾値Ｓｈ
１（この場合９回）以上であり、且つ、閾値Ｓｈ２（この場合、Ｎ＝２として１１回）よりも小さい場合、測定項目と残り測定回数が薄い色でハイライト表示される。
【０１１３】
続いて、ＣＰＵ４０１は、リストＤ７１１においてハイライト表示された測定項目について、試薬（この場合、測定項目「ATIII」に使用する試薬）が不足する可能性が高いこ
とを示すメッセージと、試薬（この場合、測定項目「FDP」に使用する試薬）が不足する
可能性があることを示すメッセージとを、通知領域Ｄ７１２に表示する（Ｓ１０５）。
【０１１４】
次に、ＣＰＵ４０１は、ハードディスク４０４に記憶しているランプユニット２０とピアサ１７ａに関する情報を、リストＤ７２１に表示する（Ｓ１０６）。また、ＣＰＵ４０１は、エラー履歴データベースに基づいて、今回のユーザのログオン中に発生したエラーと、今回のユーザのログオン中に発生した同一エラーのうち、そのエラーが何度目に発生したものかを示す発生回数とを、リストＤ７３に表示する（Ｓ１０７）。
【０１１５】
以上が、昼間の担当者が夜間の担当者に業務を引き継ぐ際の操作の一連の流れである。ここでは図９の画面Ｄ６において「夜間」が選択された場合を例示したが、「休日」が選択された場合も、引継補助画面Ｄ７のリストＤ７１１に表示される内容が異なるだけで、基本的な流れは変わらない。「休日」が選択された場合、測定履歴データベースから、先週、２週間前、３週間前の土曜日０時から日曜日２４時までの測定履歴が抽出され、測定項目ごとに測定回数が集計されて、リストＤ７１１に表示される。
【０１１６】
試薬等の補充が完了し、昼間担当者が制御装置４からログオフした後、昼間担当者から業務を引き継いだ夜間担当者は、昼間の担当者と同様にして制御装置４にログオンすることで、検体分析装置を使用することができる。夜間担当者によって検査が行われると、その検査の履歴は、測定の日時とともに測定履歴データベースに逐次格納されていく。ここで格納された測定履歴が、次に引継が実施される際に、引継補助画面Ｄ７のリストＤ７１１に表示される直近の測定履歴となる。
【０１１７】
担当時間が終了するか、もしくは緊急検体を待機しておく必要がなくなれば、夜間担当者は、制御装置４からログオフするか、または制御装置４をシャットダウンし、測定部２の電源をオフする。
【０１１８】
以上、本実施の形態によれば、他のユーザに業務を引き継ぐ場合に、現在のユーザにより引継ボタンＤ１５が押下されると、試薬残量データベースから各試薬の残量が取得され、取得した残量と試薬使用量設定に基づいて、リストＤ７１１に、各測定項目の残り測定回数が集約して表示される。これにより、現在のユーザは、測定項目の残り測定回数を容易かつ円滑に把握することができる。また、測定項目に必要な試薬は、図８（ｂ）の試薬使用量設定に示すように決まっているため、現在のユーザは、残り測定回数に応じて、不足する可能性のある試薬を知ることができ、引継後のユーザの担当時間内に十分な試薬が残っているかを判断することができる。よって、現在のユーザは、他のユーザへの引継前に、適宜、試薬の補充をすることができるため、引継後に、試薬の補充が必要になることが回避され得る。
【０１１９】
また、本実施の形態によれば、現在のユーザは、引継補助画面Ｄ７を介して、適宜、試薬の交換と追加の要否や、消耗品の交換の要否を、円滑に判断することができる。このため、現在のユーザは、メニュー画面Ｄ１の試薬情報ボタンＤ１３を押下して、試薬配置画面Ｄ２を表示させ、各試薬の交換と追加の要否を判断し、メニュー画面Ｄ１のメンテナン
スボタンＤ１４を押下して、メンテナンス画面Ｄ３、Ｄ４を表示させ、消耗品の交換の要否を判断するといった、煩雑な作業を行う必要がない。よって、現在のユーザは、試薬の交換と追加の要否や、消耗品の交換の要否を、円滑に判断することができる。
【０１２０】
また、本実施の形態によれば、引き継ぎ対象の時間帯と同一の過去の時間帯において行われた各測定項目の測定回数が取得され、リストＤ７１１に、取得された各測定項目の過去の測定回数が表示される。これにより、ユーザは、各測定項目の残り測定回数と、各測定項目の過去の測定回数とを対比することにより、引継後のユーザの担当時間内に、各測定回数の残り測定回数が十分であるか否かを経験的に判断することができる。また、ユーザは、残り測定回数が十分であるか否かに基づいて、試薬が不足する可能性を知ることができるため、試薬の交換と追加の要否を容易に判断することができる。
【０１２１】
また、本実施の形態によれば、各測定項目の過去の測定回数は、それぞれ、各測定項目の残り測定回数に対応付けて、リストＤ７１１に表示される。これにより、残り測定回数と過去の測定回数とが対応付けて表示されるため、ユーザは、残り測定回数と過去の測定回数とを容易に対比することができる。
【０１２２】
また、本実施の形態によれば、引き継ぎ対象の時間帯と同一の過去の時間帯として、引き継ぎ対象の時間帯と同一の３つの期間（先週、２週前、３週前）の時間帯が設定されている。これにより、ユーザは、過去の測定回数の推移を把握することができるため、残り測定回数が十分であるか否かをより正確に知ることができる。
【０１２３】
また、本実施の形態によれば、残り測定回数が、過去の測定回数の最大値を示す閾値Ｓｈ１よりも小さい場合、測定項目と残り測定回数が濃い色でハイライト表示され、残り測定回数が、閾値Ｓｈ１以上であり、且つ、閾値Ｓｈ２（＝閾値Ｓｈ１＋Ｎ）よりも小さい場合、測定項目と残り測定回数が薄い色でハイライト表示される。また、ハイライト表示と同様の表示が、通知領域Ｄ７１２に表示される。これにより、ユーザは、残り測定回数が少ない測定項目を容易に知ることができ、不足する可能性のある試薬を容易に知ることができるため、試薬の交換および追加を円滑に進めることができる。
【０１２４】
また、本実施の形態によれば、ユーザは、画面Ｄ６を介して検体分析装置１の操作が引き継がれる時間帯を設定することができ、指定した時間帯に応じて、リストＤ７１１に過去の同じ時間帯における測定回数が表示される。これにより、ユーザは、過去の同じ時間帯における測定回数を把握することができるため、より綿密に引継後の試薬の使用量を予測することができる。
【０１２５】
また、本実施の形態によれば、画面Ｄ６には、夜間に対応するチェックボックスＤ６１と、休日に対応するチェックボックスＤ６２が含まれる。これにより、夜間と休日の両方での運用があり得る場合に、検体分析装置１の操作が夜間に引き継がれるのか、休日に引き継がれるのかを簡単に指定することができる。
【０１２６】
また、本実施の形態によれば、入力領域Ｄ７４に入力された文字は、引継後のユーザがログオンすると、表示部４１に表示される。これにより、操作に不慣れな引継後のユーザに対して、特に準備しておくべきことや、操作上の注意事項などを連絡することができる。
【０１２７】
また、本実施の形態によれば、エラー履歴データベースから、今回のユーザのログオン中に発生したエラーが取得され、リストＤ７３に、取得されたエラーが表示される。これにより、ユーザは、リストＤ７３を参照して、たとえば、引継後に同様のエラーが発生する可能性があることを知ることができる。よって、引継を行うユーザは、引継後に不具合
が起きないようにするための措置を講じたり、引継後に不具合が起きたときのために、引継後のユーザに連絡事項を残しておくことができる。また、引継を行うユーザは、引継後のユーザから同様のエラーについて問い合わせがあったような場合にも、円滑な対応をとることができる。
【０１２８】
また、本実施の形態によれば、引継ボタンＤ１５が、メニュー画面Ｄ１上に配置されているため、ユーザは、引継前の所定のタイミングにおいて、各測定項目の残り測定回数を確認し、不足する可能性のある試薬や、交換する必要がある消耗品を確認することができる。
【０１２９】
また、本実施の形態によれば、ユーザは、リストＤ７１１を見ることにより、試薬の交換と追加が必要であると判断した場合に、試薬交換ボタンＤ７１３を押下して、試薬配置画面Ｄ２を表示させることができる。これにより、ユーザは、試薬配置画面Ｄ２を介して試薬の交換と追加を円滑に進めることができる。
【０１３０】
また、本実施の形態によれば、リストＤ７２１に、ランプユニット２０の耐用期間と使用時間、および、ピアサ１７ａの使用可能回数と使用回数が表示される。これにより、現在のユーザは、ランプユニット２０の使用時間がもうすぐ耐用期間に達するとか、ピアサ１７ａの使用回数がもうすぐ使用可能回数に達するといったことを、引継前に知ることができる。したがって、夜間または休日に故障が起きるリスクを最低限におさえるために予め部品を交換しておいたり、引継後のユーザが部品の交換をしやすいように、部品を準備しておくといった次善策を講じることに役立つ。
【０１３１】
＜変更例＞
上記の実施の形態では、引継ボタンＤ１５が押されると、図９に示す画面Ｄ６が表示されて、いつの時間帯に業務を引き継ぐのかをユーザに選択させるようにした。本発明の別の形態として、引継ボタンＤ１５が押下された時点を基に、制御装置４が、いつの時間帯を対象に引継を行うのかを自動的に判断する形態であってもよい。
【０１３２】
図１３（ａ）は、制御装置４の表示部４１に表示される引継設定画面Ｄ９を示す図である。
【０１３３】
引継設定画面Ｄ９は、メニュー画面Ｄ１の設定ボタンＤ１８が押下されることにより表示される指示画面において、表示指示が行われることにより表示される。引継設定画面Ｄ９は、時間設定を行うための領域Ｄ９１と、休日設定を行うための領域Ｄ９２と、ＯＫボタンＤ９３を含んでいる。
【０１３４】
入力ボックスＤ９１１、Ｄ９１２には、それぞれ、夜間等の時間帯に含める時間帯（休日設定された日以外の日の夜間の時間帯）の開始時刻と終了時刻が入力される。また、領域Ｄ９２内のチェックボックスには、夜間等の時間帯に含める日（休日に設定する日）が設定される。領域Ｄ９１、Ｄ９２における設定が完了し、ＯＫボタンＤ９３が押下されると、領域Ｄ９１、Ｄ９２に設定された内容は、ハードディスク４０４に記憶される。
【０１３５】
図１３（ｂ）は、図１３（ａ）に示すように設定が行われた場合に、ある期間（３月１２日から３月２１日まで）における、夜間等の時間帯を示す図である。
【０１３６】
領域Ｄ９２において月曜から金曜は休日設定されていないため、３月１２日から３月１６日までと、３月１９日と３月２１日における夜間等の時間帯は、領域Ｄ９１に設定されているように、１８時から９時までとなる。また、領域Ｄ９２において設定された土曜、日曜、祝日は休日設定されているため、３月１７日と、３月１８日と、３月２０日におけ
る夜間等の時間帯は、終日となる。
【０１３７】
このように夜間等の時間帯が設定された上で、引き継ぎを行うユーザにより、引継ボタンＤ１５が押下されると、現時点から見て直近の夜間等の時間帯、または、現時点を含む夜間等の時間帯（以下、「引き継ぎ対象の時間帯」という）が決定される。
【０１３８】
たとえば、引継ボタンＤ１５が押下されたタイミングが日時Ｔ１であると、この場合の引き継ぎ対象の時間帯は、３月１３日１８時から３月１４日９時までとなる。また、引継ボタンＤ１５が押下されたタイミングが日時Ｔ２であると、この場合の引き継ぎ対象の時間帯は、３月１４日１８時から３月１５日９時までとなる。また、引継ボタンＤ１５が押下されたタイミングが日時Ｔ３であると、この場合の引き継ぎ対象の時間帯は、３月１６日１８時から３月１９日９時までとなる。また、引継ボタンＤ１５が押下されたタイミングが日時Ｔ４であると、この場合の引き継ぎ対象の時間帯は、３月１９日１８時から３月２１日９時までとなる。
【０１３９】
このような形態によれば、自動的に引き継ぎ対象の時間帯が決定されるため、図９に示す画面Ｄ６においてユーザが選択を誤ることがなくなり、試薬等の準備をより確実に実施することができる。また、ユーザは、画面Ｄ６を介して夜間等の時間帯を設定することができる。これにより、過去の測定回数を取得および表示する時間帯を、施設毎の様々な引き継ぎタイミングに対応した時間帯に設定することができる。
【０１４０】
また、上記実施の形態では、図９の画面Ｄ６において、いくつかの予め定義された時間帯の中から一つを選択することで、引継後のユーザが装置を使用する時間帯を指定するものであったが、これに限らず、ユーザが時間帯を数値で指定する形態であってもよい。
【０１４１】
また、上記実施の形態では、図９の画面Ｄ６において、次に作業を引き継ぐ時間帯として、「夜間」と「休日」の中から選択する例を示したが、これに加えて「昼間」という選択肢があってもよい。図９の例では、夜間は１８時〜翌９時と定義されていることから、夜間と昼間が互いに重複せず、かつ両者を合わせて２４時間となるように、昼間の時間帯を例えば９時００分から１８時００分と定義することができる。
【０１４２】
上記実施の形態では、引継補助画面Ｄ７のリストＤ７１１には、測定項目ごとに、残り測定回数と過去の測定回数が表示されたが、リストＤ７１１に替えて、図１４（ａ）に示すリストＤ７１４または図１４（ｂ）に示すリストＤ７１５が表示されるようにしても良い。
【０１４３】
リストＤ７１４には、測定項目ごとに、試薬名と、試薬の残量と、過去の使用量が表示される。ここでいう残量とは、試薬の残り測定回数ではなく、試薬の残り体積（たとえば何ｍＬ試薬が残っているか）という情報である。過去の使用量とは、当該測定項目において使用された当該試薬の過去の使用量、つまり何ｍＬ使用されたか、という情報である。また、残量と、過去の使用量の最大値とを比較して、試薬が不足する可能性が高いと判断される試薬の試薬名と残量が、濃い色でハイライト表示される。残量と、過去の使用量の最大値に所定の値Ｍを加算した値とを比較して、試薬が不足する可能性があると判断される試薬の試薬名と残量が、薄い色でハイライト表示される。
【０１４４】
リストＤ７１５には、測定項目ごとに、試薬名と、試薬の残テスト数と、過去のテスト数が表示される。残テスト数は、当該試薬を用いて測定することができる当該測定項目の測定回数であり、過去のテスト数は、当該試薬を用いて測定された当該測定項目の過去の測定回数である。また、残テスト数と、過去の残テスト数の最大値とを比較して、試薬が不足する可能性が高いと判断される試薬の試薬名と残テスト数が、濃い色でハイライト表
示される。残テスト数と、過去の残テスト数の最大値に所定の値Ｎ（たとえば２）を加算した値とを比較して、試薬が不足する可能性があると判断される試薬の試薬名と残テスト数が、薄い色でハイライト表示される。
【０１４５】
リストＤ７１４、Ｄ７１５が表示される場合、通知領域Ｄ７１２には、不足する可能性のある試薬名が表示される。また、この場合の引継補助画面Ｄ７の表示処理も、上記実施の形態の引継補助画面Ｄ７の表示処理（図１２（ｂ）参照）と略同様に行われる。ユーザは、こうして表示されるリストＤ７１４、Ｄ７１５を見ることにより、上記実施の形態と同様、適宜、試薬の交換と追加の要否を判断することができる。よって、引継後に、試薬の交換と追加といった煩雑な作業が生じることが回避され得る。
【０１４６】
以上、本発明の実施の形態について説明したが、本発明は、上記実施の形態に制限されるものではなく、また、本発明の実施の形態も上記以外に種々の変更が可能である。
【０１４７】
たとえば、上記実施の形態では、検体分析装置１を血液凝固分析装置としたが、これに限らず、検体分析装置１は、検体として臨床検体を分析する装置である限り、どのような検体分析装置であっても良い。たとえば、検体分析装置１は、血清を測定する免疫分析装置あるいは生化学分析装置、血液中の血球を計数する血球計数装置、尿を分析する尿分析装置、または骨髄液を分析する分析装置であっても良い。
【０１４８】
また、上記実施の形態のリストＤ７１１に、図１４（ｃ）に示すように、過去の測定回数の最大値と平均値が、併せて表示されるようにしても良い。こうすると、残り測定回数が、過去の測定回数の最大値を超えていれば、ユーザは、引継後に試薬等の補充または交換が必要となることは略起こらないと判断できる。また、残り使用回数が、過去の測定回数の平均値を超えていれば、ユーザは、引継後に試薬の交換または追加が必要となることは、経験的に起こりにくいと判断できる。
【０１４９】
また、上記実施の形態のリストＤ７１１と、上記変更例のリストＤ７１４、Ｄ７１５とが、引継補助画面Ｄ７に併せて表示されても良い。この場合、リストＤ７１１の表示内容に対して、リストＤ７１４の表示内容が結合されても良い。また、図１５に示すように、リストＤ７１１の表示内容に対して、リストＤ７１５の表示内容が結合され、リストＤ７１６とされても良い。このように、測定項目の残り回数に対して、試薬の残量に関する情報が結合されて表示されると、測定項目と対応させながら試薬の残量に関する情報を確認することができる。
【０１５０】
また、上記実施の形態では、引継ボタンＤ１５が押下されたときに、引継補助画面Ｄ７が表示されたが、これに限らず、ユーザが、検体分析装置１の操作を終了するとき、すなわち、ログオフボタンＤ１６またはシャットダウンボタンＤ１７を押下したときに、引継補助画面Ｄ７が表示されるようにしても良い。これにより、ユーザが検体分析装置１の操作を終了する際に、必ず、残り測定回数、ランプユニット２０の耐用期間と使用時間、および、ピアサ１７ａの使用可能回数と使用回数が表示される。よって、試薬や消耗品の補充と部品の交換の必要性を確実にユーザに把握させることができるため、引継後に試薬の補充と部品の交換が必要になる事態を、より確実に、回避することができる。
【０１５１】
また、上記実施の形態では、過去の所定の時間帯に消費された試薬または消耗品の消費量に関する履歴情報として、予め決められた時間帯（夜間であれば１８時〜翌９時）に使用された試薬等の消費量を表示した。
【０１５２】
しかしながら、本発明における「所定の時間帯」には、一定の間隔で繰り返される期間（例えば毎日１８時〜翌９時）だけでなく、不定の期間であっても、ある条件によって一
意に定義できる期間であれば、そのような期間も含む。例えば、装置に対してある操作が行われてから次に同じ操作が行われるまでの期間、装置に特定のモードが設定されている期間、ある権限を有した操作者が装置にログオンしている期間、なども本発明にいう「所定の時間帯」の範疇に属する。所定の時間帯として、ある条件によって定義される期間を適用した例を以下に示す。
【０１５３】
たとえば、検体分析装置１を操作するユーザの権限として、「一般操作者」と、「夜間操作者」の少なくとも２つの権限を設定しておく。「一般操作者」は、昼間の時間帯に装置を使用するユーザのために割り当てられた権限であって、装置のほぼ全ての機能を使用できる。「夜間操作者」は、夜間の時間帯に装置を使用するユーザのために割り当てられた権限であって、検体の測定と試薬等の補充交換を含む限られた範囲でしか装置を使用できない。各ユーザには、２つの権限のいずれかが割り当てられていて、各ユーザに割り当てられるアカウントは、２つの権限のいずれかに対応している。
【０１５４】
なお、夜間に検体分析装置１を使用する者には不慣れなユーザが含まれるため、あまり多くの使用権限を付与すると、意図しない操作によって装置が誤作動を起こしたり、故障の原因になることもある。そこで、「夜間操作者」が使用できる機能を制限することにより、意図しない操作が行われることを回避している。
【０１５５】
この形態では、制御装置４にユーザがログオンすると、そのユーザの権限が、「一般操作者」と「夜間操作者」のいずれであるかがアカウントを基に判別される。検体の検査が実施されると、その検査の履歴が、検査が実施されたときに制御装置４にログオンしていた操作者の権限と共に記憶される。試薬または消耗品の消費量に関する履歴情報を表示する際には、検査履歴の中から「夜間操作者」の権限とともに記憶されている検査履歴が抽出され、夜間の時間帯に消費された試薬の消費量が算出される。
【０１５６】
さらなる別の形態として、検体分析装置１が、ユーザ管理を行わない形態であってもよい。ユーザ管理とは、ユーザ毎にアカウントを発行しておいて、ログオンの際にアカウントの入力を求めることで、誰がログオンしているかを装置が認識し、管理することをいう。
【０１５７】
ユーザ管理を行わない形態では、装置を稼働する時間帯または稼働日に応じて、検体分析装置１を異なるモードで動作させるようにする。具体的には、ユーザが装置を起動するときに、「昼間モード」と「夜間モード」のいずれかを選択できるようにする。昼間モードは、装置のほぼ全ての機能を使用できるモードで、夜間モードは、検体の測定と試薬等の補充交換を含む限られた範囲でしか装置を使用できないモードである。
【０１５８】
検体分析装置１を起動したときに、昼間モードまたは夜間モードのいずれのモードで装置を起動するかが、ユーザによって選択される。装置が起動され検査が実施されると、検査の履歴は、その検査が行われたときのモードの種別と共に記憶される。試薬または消耗品の消費量に関する履歴情報を表示する際には、検査履歴の中から「夜間モード」のときに実施された検査履歴が抽出され、夜間の時間帯に消費された試薬の消費量が算出される。
【０１５９】
また、上記実施の形態の通知領域Ｄ７１２には、試薬が不足する可能性が高いことを通知するメッセージが表示されたが、これに限らず、試薬の交換および追加をユーザに促すメッセージが表示されても良い。
【０１６０】
また、上記実施の形態では、試薬残量データベースと、試薬使用量設定、エラー履歴データベース、測定履歴データベース、ランプユニット２０の耐用期間と使用時間、および
、ピアサ１７ａの使用可能回数と使用回数は、制御装置４のハードディスク４０４に記憶された。しかしながら、これらの情報は、測定部２のメモリ２０２に記憶されても良く、検体分析装置１と通信可能に接続された外部のホストコンピュータに記憶されても良い。
【０１６１】
また、上記実施の形態では、試薬残量データベースを制御装置４のハードディスク４０４に記憶したが、他の形態であってもよい。例えば、試薬容器１０３の外側に、情報の読み出しおよび書き込みが可能なＲＦＩＤを設け、このＲＦＩＤに試薬残量を記憶させておく形態であってもよい。この形態では、試薬を消費するたびにＲＦＩＤに格納されている試薬の残量が更新され、図１０の引継補助画面Ｄ７を表示する際に、各試薬容器１０３から試薬残量が読み出され、画面が生成される。
【０１６２】
また、上記実施の形態では、試薬残量データベースに試薬の残量を体積オーダで記録し、試薬分注を行う都度、記録されている残量から吸引した量を差し引いて試薬残量データベースを更新したが、このような方法に限られない。試薬残量データベースは、吸引が行われる都度、試薬容器１０３ごとに予め決められた残テスト数から１減算することで残量を管理する構成であってもよい。
【０１６３】
また、上記実施の形態では、過去の時間帯は、引き継ぎ対象の時間帯に対して、先週、２週前、３週前とされたが、これに限られるものではない。たとえば、引き継ぎ対象の時間帯が平日の場合、過去の時間帯は、過去の平日の引き継ぎ対象の時間帯のうち、直近３つの時間帯としても良い。
【０１６４】
また、上記実施の形態では、過去の時間帯の測定回数の最大値を閾値Ｓｈ１とし、閾値Ｓｈ１に所定の値を加算した値を閾値Ｓｈ２とし、閾値Ｓｈ１、Ｓｈ２に基づいて、リストＤ７１１のハイライト表示と通知領域Ｄ７１２の表示が行われた。しかしながら、これに替えて、通常残存することが望ましいとされる残り測定回数を考慮して、各測定項目に対して固定的に閾値Ｓｈ３が設定されても良い。
【０１６５】
また、上記実施の形態では、ユーザは、試薬の交換と追加の必要があると判断すると、試薬交換ボタンＤ７１３を押下して、試薬配置画面Ｄ２を表示したが、これに替えて、上記リストＤ７１４〜Ｄ７１６が表示されている場合には、リストＤ７１４〜Ｄ７１６内の、交換と追加を行う試薬の試薬名が押下されると、試薬配置画面Ｄ２が表示されるようにしても良い。この場合、試薬テーブル１１、１２に配置されている交換と追加の対象となる試薬容器１０３が、蓋２ａの真下に位置付けられる。
【０１６６】
また、上記図１４（ｂ）のリストＤ７１１には、試薬の残り使用回数が表示されたが、これに限らず、他の消耗品の残存値や残り使用回数が表示されるようにしても良い。消耗品の例としては、キュベット供給部１５に格納されるキュベットや、ピアサ１７ａやピペット１８ａを洗浄するための洗浄液が挙げられる。また、検体を吸引するためのピペットとして、先端にディスポーザブルなピペットチップを装着して検体を吸引する検体分析装置においては、ピペットチップも消耗品の他の例として挙げられる。検体をスライドに塗抹して作製したスライドを分析する装置においては、スライドが消耗品の他の例として挙げられる。この場合も、引継補助画面Ｄ７には、試薬交換ボタンＤ７１３と同様のボタンが配置され、かかるボタンが押下されることにより、上記他の消耗品の補充を進めることができる。
【０１６７】
図１６は、洗浄液に関する情報等が表示される領域Ｄ７７を含む場合の引継補助画面Ｄ７を示す図である。領域Ｄ７７は、リストＤ７７１と、通知領域Ｄ７７２と、交換ボタンＤ７７３を含んでいる。なお、領域Ｄ７７以外の部分については、図１０に示す引継補助画面と略同じである。
【０１６８】
リストＤ７７１において、残り測定回数は、現時点での洗浄液を用いて行うことが可能な測定回数であり、過去の測定回数は、現在日の一週間前、二週間前および三週間前のそれぞれの該当日における夜間の時間帯に、洗浄液を用いて行われた測定回数である。なお、洗浄液が収容された容器に接続されているチューブには、当該容器内における洗浄液の液面位置を検出するためのフロートセンサが設置されており、フロートセンサによる検出信号に基づいて、残り洗浄液の液量が取得される。リストＤ７７１の残り測定回数は、こうして得られる残りの洗浄液の液量を所定値で除した値である。かかる所定値は、１回の測定で使用される、測定項目ごとに異なる洗浄液の使用量に基づいて決められる。
【０１６９】
また、リストＤ７７１において、残り測定回数が、過去の測定回数の最大値（８０）よりも少ないため、項目名と測定回数が濃い色でハイライト表示されており、通知領域Ｄ７７２には、洗浄液が不足する可能性が高いことを通知するメッセージが表示されている。ユーザは、リストＤ７７１と通知領域Ｄ７７２を参照して、洗浄液が不足する可能性があると判断すると、交換ボタンＤ７７３を押下して、洗浄液の交換または継ぎ足しを行うための画面を表示させる。洗浄液の交換または継ぎ足しが完了し、交換または継ぎ足しを行うための画面が閉じられると、領域Ｄ７７の表示内容が更新される。
【０１７０】
この他、本発明の実施の形態は、特許請求の範囲に示された技術的思想の範囲内において、適宜、種々の変更が可能である。
【符号の説明】
【０１７１】
１  …  検体分析装置
２  …  測定部
１７ａ  …  ピアサ
２０  …  ランプユニット
４  …  制御装置（制御部）
４０１  …  ＣＰＵ（制御部）
４１  …  表示部
Ｄ１５  …  引継ボタン
Ｄ１６  …  ログオフボタン（ボタン）
Ｄ１７  …  シャットダウンボタン（ボタン）
Ｄ６  …  画面（指定画面）
Ｄ７  …  引継補助画面
Ｄ７１１、Ｄ７１４〜Ｄ７１６  …  リスト（情報表示領域）
Ｄ７１２  …  通知領域（警告表示領域）
Ｄ７１３  …  試薬交換ボタン（受付手段）
Ｄ７２１  …  リスト（部品情報領域）
Ｄ７３  …  リスト（エラー表示領域）
Ｄ７４  …  入力領域（メッセージ入力領域）
Ｄ７７１  …  リスト（情報表示領域）
Ｄ７７２  …  通知領域（警告表示領域）
Ｄ７７３  …  交換ボタン（受付手段）
【図１】
2014089129.tif 000003
【図２】
2014089129.tif 000004
【図３】
2014089129.tif 000005
【図４】
2014089129.tif 000006
【図５】
2014089129.tif 000007
【図６】
2014089129.tif 000008
【図７】
2014089129.tif 000009
【図８】
2014089129.tif 000010
【図９】
2014089129.tif 000011
【図１０】
2014089129.tif 000012
【図１１】
2014089129.tif 000013
【図１２】
2014089129.tif 000014
【図１３】
2014089129.tif 000015
【図１４】
2014089129.tif 000016
【図１５】
2014089129.tif 000017
【図１６】
2014089129.tif 000018